(57)【要約】【課題】  棒状体のしなりを有効利用するスイングを容易に行うことができる球技用の棒状体を提供する。【解決手段】  ボールを打撃する球技用またはその練習用として使用することができる球技用の棒状体１であって、長尺状の本体１０の基端側に把持部２０を備えており、本体１０は、主たる撓み変形が第１の仮想平面に沿って生じる第１の可撓部１２と、第１の可撓部１２よりも基端側に設けられ主たる撓み変形が第２の仮想平面に沿って生じる第２の可撓部１４と、第１の可撓部１２および第２の可撓部１４の間に介在された高剛性部１９とを備え、第１の仮想平面および第２の仮想平面は互いに交差し、高剛性部１９は、第１の仮想平面に沿う方向の曲げ剛性が第２の可撓部１４の同方向の曲げ剛性と同等以上であり、且つ、第２の仮想平面に沿う方向の曲げ剛性が同方向の第１の可撓部１２の曲げ剛性と同等以上である。【選択図】  図１
2014230738.tif 000002
【特許請求の範囲】
【請求項１】
球技用またはその練習用として使用することができる球技用の棒状体であって、
長尺状の本体の基端側に把持部を備えており、
前記本体は、主たる撓み変形が第１の仮想平面に沿って生じる第１の可撓部と、前記第１の可撓部よりも基端側に設けられ主たる撓み変形が第２の仮想平面に沿って生じる第２の可撓部と、
前記第１の可撓部および第２の可撓部の間に介在された高剛性部とを備え、
前記第１の仮想平面および第２の仮想平面は互いに交差し、
前記高剛性部は、前記第１の仮想平面に沿う方向の曲げ剛性が前記第２の可撓部の同方向の曲げ剛性と同等以上であり、且つ、前記第２の仮想平面に沿う方向の曲げ剛性が同方向の前記第１の可撓部の曲げ剛性と同等以上である球技用の棒状体。
【請求項２】
前記第１の可撓部および第２の可撓部の長さは、いずれも前記高剛性部の長さよりも長い請求項１に記載の球技用の棒状体。
【請求項３】
前記第１の可撓部および第２の可撓部は、いずれも偏平状に形成されており、厚み方向に可撓性を有する請求項１に記載の球技用の棒状体。
【請求項４】
前記第１の可撓部および第２の可撓部は、いずれも偏平な板状体からなり、厚み方向に可撓性を有する請求項１に記載の球技用の棒状体。
【請求項５】
前記第１の可撓部、高剛性部および第２の可撓部は、それぞれの中心線が前記本体の軸線に沿って一直線上に配置されている請求項１に記載の球技用の棒状体。
【請求項６】
前記第１の仮想平面および第２の仮想平面は、いずれも前記本体の軸線を含むように配置され、且つ互いに直交する請求項５に記載の球技用の棒状体。
【請求項７】
前記高剛性部は、前記第１の可撓部および第２の可撓部を前記本体の軸線において交差させた形状を有する請求項５に記載の球技用の棒状体。
【請求項８】
前記本体は、先端にボールの打撃部を備える請求項１に記載の球技用の棒状体。
【請求項９】
球技用またはその練習用として使用することができる球技用の棒状体の使用方法であって、
前記棒状体は、長尺状の本体の基端側に把持部を備えており、前記本体は、主たる撓み変形が第１の仮想平面に沿って生じる第１の可撓部と、前記第１の可撓部よりも基端側に設けられ主たる撓み変形が第２の仮想平面に沿って生じる第２の可撓部とを備え、前記第１の仮想平面および第２の仮想平面は互いに交差しており、
使用者が前記把持部を把持して前記棒状体を振り上げる第１のステップと、
使用者が前記棒状体を前記第１の仮想平面または第２の仮想平面の一方に沿って振り下ろして、前記第１の可撓部または第２の可撓部の一方を下方に撓み変形させる第２のステップと、
使用者が前記棒状体を前記第１の可撓部および第２の可撓部の他方に沿ってボールに向けて振ることで、前記第１の可撓部または第２の可撓部の他方を前方に撓ませながらボールを打撃する第３のステップとを備える球技用の棒状体の使用方法。
【請求項１０】
前記第２のステップは、前記第１のステップにより前記第１の可撓部または第２の可撓部の一方を振り上げた方向に撓み変形させてから開始する請求項９に記載の球技用の棒状体の使用方法。
【請求項１１】
前記第３のステップは、前記第１の可撓部または第２の可撓部の他方を前方に撓ませる前に、前記第２のステップにより前記第１の可撓部または第２の可撓部の一方を下方に撓み変形させたときの慣性力を利用して前記第１の可撓部または第２の可撓部の他方を後方に撓ませるステップを備える請求項９に記載の球技用の棒状体の使用方法。
【発明の詳細な説明】
【技術分野】
【０００１】
本発明は、球技用の棒状体に関し、より詳しくは、ゴルフや野球等の球技またはその練習用に使用することができる球技用の棒状体に関する。また、本発明は、このような球技用の棒状体を用いた球技用の棒状体の使用方法に関する。
【背景技術】
【０００２】
ゴルフや野球のようにクラブやバット等の棒状体でボールを打撃する球技においては、ボールを強く、遠くまで飛ばすことが一つの課題とされる。このような課題に対しては、棒状体のしなりを利用することが有効であるため、従来からしなりを良くするための棒状体の構成が検討されている。例えば、特許文献１には、シャフトの長手方向に沿って曲げ剛性を変化させて、曲げ剛性低下領域を複数設けることで、シャフトのしなりの向上を図ったゴルフクラブシャフトが開示されている。
【先行技術文献】
【特許文献】
【０００３】
【特許文献１】特開２００５−１５２６１３号公報
【発明の概要】
【発明が解決しようとする課題】
【０００４】
ところが、上記特許文献１に開示されたシャフトは、シャフト自体のしなりが任意の方向に生じるために、スイングのばらつきがあってもそれらの違いを体感し難いことから、シャフトのしなりを効率良く利用することが困難であった。
【０００５】
そこで、本発明は、棒状体のしなりを有効利用して効率の良いスイングを容易に行うことができる球技用の棒状体の提供を目的とする。また、本発明は、このような球技用の棒状体を用いて被打撃物を効率良く打撃する球技用の棒状体の使用方法の提供を目的とする。
【課題を解決するための手段】
【０００６】
本発明の前記目的は、球技用またはその練習用として使用することができる球技用の棒状体であって、長尺状の本体の基端側に把持部を備えており、前記本体は、主たる撓み変形が第１の仮想平面に沿って生じる第１の可撓部と、前記第１の可撓部よりも基端側に設けられ主たる撓み変形が第２の仮想平面に沿って生じる第２の可撓部と、前記第１の可撓部および第２の可撓部の間に介在された高剛性部とを備え、前記第１の仮想平面および第２の仮想平面は互いに交差し、前記高剛性部は、前記第１の仮想平面に沿う方向の曲げ剛性が前記第２の可撓部の同方向の曲げ剛性と同等以上であり、且つ、前記第２の仮想平面に沿う方向の曲げ剛性が同方向の前記第１の可撓部の曲げ剛性と同等以上である球技用の棒状体により達成される。
【０００７】
この球技用の棒状体において、前記第１の可撓部および第２の可撓部の長さは、いずれも前記高剛性部の長さよりも長いことが好ましい。
【０００８】
前記第１の可撓部および第２の可撓部は、いずれも偏平状に形成されており、厚み方向に可撓性を有することが好ましい。
【０００９】
前記第１の可撓部および第２の可撓部は、いずれも偏平な板状体からなり、厚み方向に可撓性を有することが好ましい。
【００１０】
前記第１の可撓部、高剛性部および第２の可撓部は、それぞれの中心線が前記本体の軸線に沿って一直線上に配置されていることが好ましい。この構成において、前記第１の仮想平面および第２の仮想平面は、いずれも前記本体の軸線を含むように配置され、且つ互いに直交することが好ましく、前記高剛性部は、前記第１の可撓部および第２の可撓部を前記本体の軸線において交差させた形状を有することが好ましい。
【００１１】
前記本体は、先端にボールの打撃部を備えることができる。
【００１２】
また、本発明の前記目的は、球技用またはその練習用として使用することができる球技用の棒状体の使用方法であって、前記棒状体は、長尺状の本体の基端側に把持部を備えており、前記本体は、主たる撓み変形が第１の仮想平面に沿って生じる第１の可撓部と、前記第１の可撓部よりも基端側に設けられ主たる撓み変形が第２の仮想平面に沿って生じる第２の可撓部とを備え、前記第１の仮想平面および第２の仮想平面は互いに交差しており、使用者が前記把持部を把持して前記棒状体を振り上げる第１のステップと、使用者が前記棒状体を前記第１の仮想平面または第２の仮想平面の一方に沿って振り下ろして、前記第１の可撓部または第２の可撓部の一方を下方に撓み変形させる第２のステップと、使用者が前記棒状体を前記第１の可撓部および第２の可撓部の他方に沿ってボールに向けて振ることで、前記第１の可撓部または第２の可撓部の他方を前方に撓ませながらボールを打撃する第３のステップとを備える球技用の棒状体の使用方法により達成される。
【００１３】
この球技用の棒状体の使用方法において、前記第２のステップは、前記第１のステップにより前記第１の可撓部または第２の可撓部の一方を振り上げた方向に撓み変形させてから開始することが好ましい。
【００１４】
また、前記第３のステップは、前記第１の可撓部または第２の可撓部の他方を前方に撓ませる前に、前記第２のステップにより前記第１の可撓部または第２の可撓部の一方を下方に撓み変形させたときの慣性力を利用して前記第１の可撓部または第２の可撓部の他方を後方に撓ませるステップを備えることが好ましい。
【発明の効果】
【００１５】
本発明によれば、棒状体のしなりを有効利用して効率の良いスイングを容易に行うことができる球技用の棒状体を提供することができる。また、本発明によれば、このような球技用の棒状体を用いて被打撃物を効率良く打撃する球技用の棒状体の使用方法を提供することができる。
【図面の簡単な説明】
【００１６】
【図１】本発明の一実施形態に係る球技用の棒状体の正面図である。
【図２】図１に示す球技用の棒状体の断面図であり、（ａ）はＡ−Ａ断面図、（ｂ）はＢ−Ｂ断面図、（ｃ）はＣ−Ｃ断面図である。
【図３】図１に示す球技用の棒状体の使用方法を説明するための図であり、（ａ）はアドレスの状態、（ｂ）はダウンスイングの途中の状態、（ｃ）はインパクトの状態を示している。
【図４】本発明の他の実施形態に係る球技用の棒状体の要部断面図であり、（ａ）は第１の可撓部の断面図、（ｂ）は第２の可撓部の断面図である。
【図５】本発明の更に他の実施形態に係る球技用の棒状体の要部断面図であり、（ａ）は第１の可撓部の断面図、（ｂ）は第２の可撓部の断面図である。
【図６】本発明の更に他の実施形態に係る球技用の棒状体の要部断面図であり、（ａ）は第１の可撓部の断面図、（ｂ）は第２の可撓部の断面図である。
【図７】本発明の更に他の実施形態に係る球技用の棒状体の要部断面図であり、（ａ）は第１の可撓部の断面図、（ｂ）は第２の可撓部の断面図である。
【図８】本発明の更に他の実施形態に係る球技用の棒状体の要部を示す図であり、（ａ）は本体の展開図、（ｂ）は本体の斜視図、（ｃ）は高剛性部が装着された本体の斜視図である。
【図９】本発明の更に他の実施形態に係る球技用の棒状体のアドレス時の状態を示す図である。
【図１０】本発明の更に他の実施形態に係る球技用の棒状体の分解正面図である。
【図１１】本発明の更に他の実施形態に係る球技用の棒状体の要部正面図であり、（ａ）および（ｂ）はそれぞれ使用状態の一例を示している。
【図１２】本発明の更に他の実施形態に係る球技用の棒状体の正面図である。
【発明を実施するための形態】
【００１７】
以下、本発明の実施の形態について、添付図面を参照して説明する。図１は、本発明の一実施形態に係る球技用の棒状体の正面図である。図１に示す球技用の棒状体１は、ゴルフクラブまたはゴルフスイングの練習用として使用されるものであり、長尺状の本体１０と、本体１０の基端側に設けられた把持部（グリップ）２０と、本体１０の先端側に設けられた打撃部（ヘッド）３０とを備えている。
【００１８】
本体１０は、偏平な帯状に形成された第１の可撓部１２および第２の可撓部１４と、第１の可撓部１２および第２の可撓部１４の間に介在された高剛性部１９とを備えている。第１の可撓部１２、高剛性部１９および第２の可撓部１４は、それぞれの中心線が本体１０の軸線Ｌに沿って一直線上に配置されており、第１の可撓部１２の基端側に第２の可撓部１４が配置されている。第１の可撓部１２および第２の可撓部１４は、例えば、チタン、アルミニウム、マグネシウムあるいはこれらの合金等の金属材料や、カーボン、グラファイト等の非金属材料からなる板状体であり、厚み方向に撓み変形可能とされている。第１の可撓部１２および第２の可撓部１４は、例えば、同じ材料で同じ断面形状とすることができる。
【００１９】
第１の可撓部１２は、基端側に一対の挟持部１２２，１２２を備えている。一対の挟持部１２２，１２２間には、第２の可撓部１４の先端部が挟持されており、溶接、ろう付け、接着等により一体化されている。高剛性部１９は、第１の可撓部１２および第２の可撓部１４の重複部から構成されている。第１の可撓部１２と第２の可撓部１４とを連結する手段は、接着や嵌合、あるいはねじやリベットを用いた固定等、両者を確実に結合可能であれば特に限定されるものではなく、更には両者を着脱可能な構成であってもよい。また、第２の可撓部１４に一対の挟持部を設けて、第１の可撓部１２の基端部を挟持することも可能である。
【００２０】
第１の可撓部１２および第２の可撓部１４の軸線Ｌ方向の長さＬ１，Ｌ２は、互いに異なるものであってもよく、あるいは一致してもよいが、第１の可撓部１２および第２の可撓部１４のしなりを効果的に利用できるように、いずれも高剛性部１９の軸線Ｌ方向の長さＬ３よりも長いことが好ましい。
【００２１】
図２（ａ）は、図１のＡ−Ａ断面図である。第１の可撓部１２および第２の可撓部１４は、軸線Ｌを含むように配置されており、軸線Ｌに垂直な断面において互いに直交している。高剛性部１９は、第１の可撓部１２および第２の可撓部１４を軸線Ｌにおいて交差させることにより、十字状に形成されている。
【００２２】
第１の可撓部１２は、第１の仮想平面Ｐ１に沿って撓み変形が生じるように構成されており、第２の可撓部１４は、第２の仮想平面Ｐ２に沿って撓み変形が生じるように構成されている。第１の仮想平面Ｐ１および第２の仮想平面Ｐ２は、軸線Ｌにおいて互いに直交している。上記の第１の仮想平面Ｐ１および第２の仮想平面Ｐ２は、第１の可撓部１２および第２の可撓部１４の主たる撓み方向を示すものである。主たる撓み変形の方向は、第１の可撓部１２および第２の可撓部１４に対して、それぞれ一端部を固定して他端部に外力を作用させたときに、外力の作用方向に沿った撓み量が最大になる方向をいい、通常は曲げ剛性が最小となる方向である。本発明は、第１の可撓部１２および第２の可撓部１４が、主たる撓み方向以外の方向にも僅かに撓み変形する構成を除外するものではない。
【００２３】
高剛性部１９は、第１の仮想平面Ｐ１に沿う方向の曲げ剛性、および、第２の仮想平面Ｐ２に沿う方向の曲げ剛性が、いずれも同じ方向で比較したときの第１の可撓部１２および第２の可撓部１４の曲げ剛性と同等以上の大きさとなっている。すなわち、第１の仮想平面Ｐ１に沿う方向においては、第１の可撓部１２の曲げ剛性よりも第２の可撓部１４の曲げ剛性が大きい値となるが、高剛性部１９の第１の仮想平面Ｐ１に沿う方向の曲げ剛性は、この方向の第２の可撓部１４の曲げ剛性と同等以上とされている。同様に、第２の仮想平面Ｐ２に沿う方向においては、第２の可撓部１４の曲げ剛性よりも第１の可撓部１２の曲げ剛性が大きい値となるが、高剛性部１９の第２の仮想平面Ｐ２に沿う方向の曲げ剛性は、この方向の第１の可撓部１２の曲げ剛性と同等以上とされている。高剛性部１９をこのように構成することで、第１の可撓部１２および第２の可撓部１４にそれぞれ異なる方向への曲げ変形が生じた場合に、相互間での曲げの影響を高剛性部１９によって分断することができ、第１の可撓部１２および第２の可撓部１４をそれぞれ第１の仮想平面Ｐ１および第２の仮想平面Ｐ２に沿って確実にしならせることができる。曲げ剛性は、ヤング率と断面２次モーメントの積から求めることができ、材質と断面形状から算出することができる。断面形状による曲げ剛性の算出が困難な場合には、一般的なゴルフシャフトの曲げ剛性の測定と同様に、３点曲げ試験によって曲げ剛性を求めてもよい。
【００２４】
第１の可撓部１２および第２の可撓部１４の曲げ剛性は、使用者が把持部２０および打撃部３０を両手でそれぞれ把持して、第１の仮想平面Ｐ１および第２の仮想平面Ｐ２に沿って曲げ変形を生じさせたときに、第１の可撓部１２および第２の可撓部１４の一方が高剛性部１９との境界部から円弧状に湾曲する一方、他方の曲げ変形は目視で確認できない程度であることが好ましい。このような構成の場合、高剛性部１９の曲げ剛性が、第１の可撓部１２または第２の可撓部１４の幅方向の曲げ剛性と同等以上か否かは、目視によって容易に確認することができる。
【００２５】
図１に示すように、把持部２０は一対の挟持部２２，２２を備えており、図２（ｂ）に示すように一対の挟持部２２，２２で第２の可撓部１４を挟持して溶接することにより、一体化されている。打撃部３０は一対の挟持部３２，３２を備えており、図２（ｃ）に示すように一対の挟持部３２，３２で第１の可撓部１２を挟持して溶接することにより、一体化されている。本体部１０に対する把持部２０および打撃部３０の固定についても、第１の可撓部１２と第２の可撓部１４との固定と同様に、上述した他の公知の結合手段を適宜用いることができる。打撃部３０に対する第１の可撓部１２の向きは、打撃部３０の打撃面であるフェースを打撃目標に向けたときに、第１の可撓部１２の幅広面が打撃目標に対向するように設定されている。
【００２６】
上記の構成を備える球技用の棒状体１は、下記のように使用することができる。まず、図３（ａ）に示すように、使用者は、ボールＢの前に立って図の右方向である打撃目標に向けてアドレスをとる。この状態において、第１の可撓部１２は、使用者の左右方向に拡がる第１の仮想平面に沿って撓み変形し、第２の可撓部１４は、使用者の前後方向に拡がる第２の仮想平面に沿って撓み変形するように、それぞれ配置される。
【００２７】
ついで、使用者がバックスイングを行う。バックスイングの始動時において、使用者は、主として体の回転により棒状体１を横方向（図３（ａ）の左方向）に振り上げ、第１の可撓部１２をスイング方向にしならせる。この後、主として腕の動きにより棒状体１を更に縦方向に振り上げ、第２の可撓部１４をスイング方向にしならせる。こうして、バックスイングが終了した後、使用者は引き続きダウンスイングを行う。
【００２８】
ダウンスイングの始動時は、腰の切り返しの動作によって、把持部２０の下方への引き落としを開始する。この時点では、図３（ｂ）に示すように、第２の可撓部１４のバックスイング時のしなり方向（図３（ｂ）の右方向）が維持される。そして、使用者が縦方向のカウンター動作を行うことにより、打撃部３０が下方へと大きく加速され、第２の可撓部１４のしなり方向が反転する。これにより、打撃部３０には、重力と共に下方への大きな慣性力が作用する。上述したカウンター動作とは、把持部２０にスイング方向と反対方向の力を作用させて、把持部２０の動きを減速させる動作をいう（以下においても同様）。
【００２９】
この後、使用者が体の回転により棒状体１を横方向にボールＢに向けてスイングすると、打撃部３０に下方への慣性力が残存していることによって、第１の可撓部１２には、スイング方向と反対方向への大きなたわみが生じる。そして、使用者が横方向のカウンター動作を行うことにより、打撃部３０が打撃方向に大きく加速され、図３（ｃ）に示すように、第２の可撓部１４のしなり方向が図の右方向へと反転する。こうして、第２の可撓部１４を打撃方向にしならせながら、ボールＢを打撃する。
【００３０】
このように、本実施形態の棒状体１の使用方法によれば、ダウンスイング中に順次行う縦方向のカウンター動作および横方向のカウンター動作によって、第１の可撓部１２および第２の可撓部１４の撓み変形による大きな弾性エネルギーを棒状体１に確実に蓄積することができる。そして、この弾性エネルギーを、ボールＢの打撃時に安定して放出することができるので、ボールＢを正確に遠くまで飛ばすことができる。
【００３１】
本実施形態の球技用の棒状体１は、第１の可撓部１２および第２の可撓部１４の主たる撓み変形が、それぞれ第１の仮想平面および第２の仮想平面に沿う方向に限定されるので、例えば、この棒状体１をゴルフスイングの練習用として使用する場合には、第１の可撓部１２および第２の可撓部１４の撓みを使用者がスイング中に体感することにより、効率の良いスイングができたか否かを容易に確認することができる。また、第１の可撓部１２および第２の可撓部１４を、偏平状に形成することにより、スイングする前の状態でも、第１の可撓部１２および第２の可撓部１４をどの方向にしならせればよいかを使用者に視覚的にイメージさせることができ、効率の良いスイングを促すことができる。第１の可撓部１２および第２の可撓部１４には、長手方向に延びる１または複数のスリットを形成してもよく、これによってしなりをより生じさせ易くすることができる。
【００３２】
棒状体１をゴルフクラブとして使用する場合には、使用者に効率の良いスイングを促して、ボールの飛距離および方向性の向上を図ることができる。第１の可撓部１２および第２の可撓部１４の撓み易さは、使用者の体力や使用目的等に応じて適宜設定すればよいが、例えば棒状体１を練習用として使用する場合には、第１の可撓部１２および第２の可撓部１４に撓み変形が生じ易いものを使用して、効率の良いスイングを使用者が体感し易いように構成することが好ましい。
【００３３】
以上、本発明の一実施形態について詳述したが、本発明の具体的な態様は上記実施形態には限定されない。例えば、本実施形態においては、横方向の動きにより撓み変形する第１の可撓部１２の基端側に、縦方向の動きにより撓み変形する第２の可撓部１４を配置することで、横方向の動きよりも縦方向の動きで打撃部３０がより大きく変位して、しなりを体感し易いように構成しているが、これとは逆に、第１の可撓部１２が縦方向の動きにより撓み変形し、第２の可撓部１４が横方向の動きにより撓み変形するように、第１の可撓部１２および第２の可撓部１４の幅広面の向きをそれぞれ変更することで、使用者に横方向の動きをより体感させ易くすることもできる。第１の可撓部１２および第２の可撓部１４は、１つの帯状体の途中を捩ることによって、捩り部の両側にそれぞれ形成してもよい。
【００３４】
また、第１の可撓部１２および第２の可撓部１４は、図４（ａ）および（ｂ）に断面図で示すように、両者を一体的に被覆する円筒状の被覆管１６の内部に収容することもできる。被覆管１６は、スチールシャフトやカーボンシャフトなど、通常のゴルフクラブに使用されるシャフトと同様のものを使用することができ、本発明の棒状体を、外観上は一般的なゴルフクラブと同様に構成することができる。第１の可撓部１２および第２の可撓部１４は、図４（ａ）および（ｂ）では断面が偏平な矩形状とされているが、図５（ａ）および（ｂ）に断面図で示すように、複数の直線状の線状体１２ａ，１４ａを互いに接するように一方向に並列させて一体化することにより、偏平な板状体にした構成であってもよい。
【００３５】
また、図６（ａ）および（ｂ）に断面図で示すように、円筒状のシャフト１８の内周面に形成する厚肉部１８ａ，１８ａ；１８ｂ，１８ｂを、シャフト１８の長手方向に沿った異なる高さ位置において、それぞれ周方向の異なる位置に配置することで、第１の仮想平面Ｐ１および第２の仮想平面Ｐ２に沿って撓み変形する第１の可撓部１２および第２の可撓部１４を構成することができる。第１の可撓部１２は、本実施形態では一対の厚肉部１８ａ，１８ａを互いに対向するように設けているが、いずれか一方のみを設けた構成であってもよい。第２の可撓部１４の厚肉部１８ｂ，１８ｂについても同様である。厚肉部は、本実施形態のように円筒状シャフトの内周面に形成する代わりに、シャフトの外周面に沿って部分的に形成することも可能であり、多重層により形成することもできる。また、シャフト１８に塗布する塗膜の厚みを周方向に沿って変化させたり、カーボンシャフトの場合は、使用するカーボンシートの目付量を部分的に多くする等して、厚肉部を形成することが可能である。第２の可撓部１４が把持可能な形状の場合には、第２の可撓部１４の基端部が把持部２０を兼用する構成であってもよい。
【００３６】
また、本体１０における撓み変形の主たる方向を定める形状は、種々の形状であってもよいが、変形方向が視覚的にも明らかな形状であることが好ましい。このような構成としては、本実施形態のような偏平な帯状体以外に、楕円状の断面形状を有する構成を挙げることができる。例えば、図７（ａ）および（ｂ）に断面図で示すように、第１の可撓部１２および第２の可撓部１４の断面形状をいずれも楕円状に形成し、それぞれの長径Ｌ１，Ｌ２が互いに直交するように配置することで、長径Ｌ１，Ｌ２と直交する第１の仮想平面Ｐ１および第２の仮想平面Ｐ２に沿って、第１の可撓部１２および第２の可撓部１４の撓み変形を生じさせることができる。種々の実施形態において、第１の仮想平面Ｐ１および第２の仮想平面Ｐ２は、本体１０の軸線Ｌにおいて直交することが好ましいが、効率の良いスイングを促すことが可能でれば、直交以外の互いに交差する配置であってもよい。第１の仮想平面Ｐ１および第２の仮想平面Ｐ２が互いに交差する構成であれば、それぞれの面に沿って棒状体１をスイングすることにより、第１の可撓部１２および第２の可撓部１４の一方の撓みによる慣性力を利用して、他方のしなりによる大きな弾性エネルギーを棒状体１に確実に蓄積させることができ、ボールを強く正確に打撃することができる。第１の仮想平面Ｐ１と第２の仮想平面Ｐ２とがなす角度は、例えば、爪とギヤとが噛合するラチェット機構などの角度調整機構により、多段階で調整可能な構成にすることもできる。
【００３７】
また、第１の可撓部１２および第２の可撓部１４は、下記のように形成することもできる。すなわち、図８（ａ）に展開図で示すように、矩形状の平板１００の左右両側にそれぞれ耳部１０２，１０４を形成し、これらの耳部１０２，１０４を上下段違いに配置することで、この平板１００を円筒状に丸めて本体１０を形成する際に、図８（ｂ）に示すように、耳部１０２，１０４の先端縁１０２ａ，１０４ａを、本体１０の周方向の異なる位置に配置する。そして、これら先端縁１０２ａ，１０４ａを溶接して筒状の本体１０を構成すると、この溶接部Ｗ１，Ｗ２が、いわゆるスパインと呼ばれる曲げ剛性が高い部分になるため、本体１０の上下に、撓み変形方向が互いに異なる第１の可撓部１２および第２の可撓部１４を形成することができる。スパインの形成は、必ずしも溶接に限定されるものではなく、例えばカーボンシャフトを形成する際にカーボンシートの重なりで生じる肉厚部分をスパインとすることもできる。この構成においては、図８（ｃ）に示すように、本体１０に弾性材料等からなるリング状部材１９ａを外嵌し、第１の可撓部１２と第２の可撓部１４との間に高剛性部１９を配置することにより、第１の可撓部１２と第２の可撓部１４のしなりが互いに干渉するのを防止することができる。
【００３８】
上記の各実施形態は、いずれも本体１０の軸線が直線状に延びる構成であるが、例えば図９に示すように、アドレス時において第１の可撓部１２がインパクト時と同様の湾曲形状となるように、第１の可撓部１２がスイング方向に予め湾曲した形状であってもよい。このような構成を備える棒状体１を主に練習用として使用することにより、インパクト時の棒状体１のしなりを使用者がアドレス時にイメージし易くなり、練習効率を高めることができる。第２の可撓部１４についても、使用者がインパクト時のトゥーダウン現象をイメージし易いように、アドレス時において使用者の前後方向に予め湾曲させた形状にすることができる。第１の可撓部１２および第２の可撓部１４の湾曲形状は、本実施形態のものに限定されず、使用用途に応じて適宜選択可能である。
【００３９】
第１の可撓部１２および第２の可撓部１４は、しなりを体感し易い撓み量に関する個人差や、上達の度合い等に応じて、曲げ剛性を調整可能に構成することができる。曲げ剛性を調整可能な構成としては、例えば、第１の可撓部１２および第２の可撓部１４が帯状に形成されている場合、複数の帯状体を新たに用意して、適宜の枚数の帯状体を第１の可撓部１２および第２の可撓部１４に積層して連結具で固定する方法を挙げることができる。また、第１の可撓部１２および第２の可撓部１４が中空筒状の場合には、第１の可撓部１２および第２の可撓部１４の中空部に挿通したワイヤをペグ等で巻き上げ可能に構成することで、第１の可撓部１２および第２の可撓部１４に対してそれぞれの両端部間に圧縮力を生じさせて、曲げ剛性を変化させることができる。
【００４０】
第１の可撓部１２、高剛性部１９および第２の可撓部１４は、図１０に示すように、把持部２０および打撃部３０に対して、螺合等により着脱可能に構成することができる。この構成によれば、第１の可撓部１２および第２の可撓部１４の配置の入れ替えを容易に行うことが出来ると共に、打撃部３０について形状が異なるものを複数用意しておくことで、ソール角やライ角の調整を容易に行うことができる。
【００４１】
第１の可撓部１２および第２の可撓部１４の表裏面には、それぞれ異なる色や模様等を付与してもよい。これにより、使用者のスイングを撮像する等して、第１の可撓部１２および第２の可撓部１４のしなりの程度を容易に把握することができ、スイングチェックを正確に行うことができる。
【００４２】
また、図１１（ａ）および（ｂ）に示すように、第２の可撓部１４の先端部に、しなりによって移動する移動体４０を設けてもよい。移動体４０は、第２の可撓部１４に形成された貫通孔１４１に挿通される棒体４２の両端に、鍔体４３ａ，４３ｂを備えて構成されており、鍔体４３ａ，４３ｂのいずれかと第２の可撓部１４との間に隙間が生じるように配置されている。棒状体１のスイング中に、図４（ａ）に示す第２の可撓部１４が下方にしなった状態から、図４（ｂ）に示す第２の可撓部１４が上方にしなった状態になると、移動体４０は上方へと移動し、鍔体４３ｂが第２の可撓部１４に衝突する。使用者は、このときに発生する振動や音により、第２の可撓部１４のしなりの状態を把握することができ、効率の良いスイングが行われているか否かをスイング中に確認することができる。第１の可撓部１２についても、第２の可撓部１４と同様に、しなりによって振動や音等を発生させる構成を備えることができる。
【００４３】
高剛性部１９は、本実施形態においては、図２（ａ）に示すように十字状に形成されているが、上述したように、第１の仮想平面Ｐ１に沿う方向の曲げ剛性が第２の可撓部１４の同方向の曲げ剛性と同等以上であり、且つ、第２の仮想平面Ｐ２に沿う方向の曲げ剛性が同方向の第１の可撓部１２の曲げ剛性と同等以上になる構成であれば、材質や断面形状等は特に限定されるものではない。例えば、第１の可撓部１２と第２の可撓部１４とを接続する部材として円筒状部材を使用する場合には、円筒状部材の外径を太くした構成、円筒状部材の外表面に金属テープ等を巻き付けた構成、円筒状部材に環状体を外嵌した構成、円筒状部材の中空部に充填物を充填した構成等を挙げることができる。高剛性部１９は、第１の可撓部１２および第２の可撓部１４に対して着脱可能に構成することも可能であり、高剛性部１９を介さずに、第１の可撓部１２と第２の可撓部１４とを直接連結できる構成にすることも可能である。使用者が上級者の場合には、高剛性部１９を備えない棒状体１であっても上述した使用方法と同様のスイングを行うことが可能であり、第１の可撓部１２および第２の可撓部１４にそれぞれ所望のしなりを生じさせることができる。
【００４４】
本発明は、ゴルフ以外にも、棒状体でボール状の被打撃物を打撃する広義の各種球技に適用可能であり、例えば、テニスやバドミントンのラケット、アイスホッケーのスティック、野球のバット等にも適用することができる。更に、本発明の球技用の棒状体は、被打撃物を打撃する以外に、野球ボール等のボールの投球練習用として使用することもできる。すなわち、図１に示す棒状体１において、図１２に示すように、把持部２０を野球ボール等と略同じ大きさを有する球状体にする一方、打撃部３０の代わりに球状等の錘体１３０を設けることにより、棒状体１を構成することができる。図１２に示す棒状体１によれば、使用者が把持部２０をボールに見立てて投球動作を行うことにより、第１の可撓部１２および第２の可撓部１４の一方のしなりによる慣性力を利用して他方を大きくしならせる効率の良い投球フォームを容易に体感することができる。
【符号の説明】
【００４５】
１  球技用の棒状体
１０  本体
１２  第１の可撓部
１４  第２の可撓部
１９  高剛性部
２０  把持部
３０  打撃部
Ｌ  軸線
Ｐ１  第１の仮想平面
Ｐ２  第２の仮想平面
【図１】
2014230738.tif 000003
【図２】
2014230738.tif 000004
【図３】
2014230738.tif 000005
【図４】
2014230738.tif 000006
【図５】
2014230738.tif 000007
【図６】
2014230738.tif 000008
【図７】
2014230738.tif 000009
【図８】
2014230738.tif 000010
【図９】
2014230738.tif 000011
【図１０】
2014230738.tif 000012
【図１１】
2014230738.tif 000013
【図１２】
2014230738.tif 000014